(57)【要約】【課題】留置カテーテルを瘻孔を介して確実に体腔内に挿入可能な留置カテーテル用挿入補助具を提供する。【解決手段】挿入補助具１はステンレス製の筒状部材２と、その先端部に装着された合成樹脂製の係止部材３と、筒状部材２の後端部に設けられた合成樹脂製の柄部４とを備える。係止部材３は筒状部材２から前方に延出された延出部３ａと、延出部３ａよりも大径に形成された段差部３ｂとを備える。筒状部材２及び係止部材３の内部に案内通路５が形成され、ガイドワイヤＧを挿通可能である。柄部４の内部は、案内通路５の基端部から柄部４の下端部まで延びる導出通路６が設けられている。この導出通路６もガイドワイヤＧが内部に挿通可能である。柄部４の上方部分には、胃瘻カテーテルのチューブ本体の外径よりも狭い挟持溝７が設けられている。延出部３ａは胃瘻カテーテルのバンパーに設けられた貫通孔に挿入される。【選択図】  図２
2009254579.tif 000002
【特許請求の範囲】
【請求項１】
瘻孔を介して先端が体腔内に挿入される可撓性を有するチューブ本体と、前記チューブ本体の先端に設けられ体腔内からのチューブ本体の抜出しを規制する可撓性を有する椀状の体腔内固定部とを備え、前記体腔内固定部に筒状部材の先端部が係止される貫通孔が設けられた留置カテーテルを瘻孔を介して体腔内に挿入するための挿入補助具であって、
先端に前記貫通孔に係止可能な硬質で中空筒状の筒状部材と、前記筒状部材の後方部分を支持し術者が操作時に把持可能な柄部とを有し、
前記筒状部材は、基端部から先端部にかけて可撓性を有する線状又は棒状の案内部材を案内する案内通路を有し、
前記柄部は、前記案内通路に連通し、前記案内通路によって案内された前記案内部材を外部に導出する導出通路を備えていることを特徴とする留置カテーテル用挿入補助具。
【請求項２】
前記筒状部材は金属管により形成され、先端部に前記留置カテーテルの体腔内固定部の貫通孔に挿入される延出部と、前記貫通孔よりも大径で前記貫通孔の周囲で係止される段差部とを有する合成樹脂製の係止部材が装着されていることを特徴とする請求項１に記載の留置カテーテル用挿入補助具。
【請求項３】
前記延出部は、前記貫通孔に挿入された際に前記留置カテーテルの体腔内固定部表面から突出するように前記貫通孔の長さよりも長く形成されていることを特徴とする請求項２に記載の留置カテーテル用挿入補助具。
【発明の詳細な説明】
【技術分野】
【０００１】
本発明は、胃や膀胱等の体腔内に留置される留置カテーテルを挿入する際に用いる補助具に関する。
【背景技術】
【０００２】
この種の留置カテーテル用挿入補助具としては、例えば下記特許文献１に開示されたものが知られている。当該特許文献１では、チューブ本体の先端に胃内固定部が設けられた胃瘻カテーテルを瘻孔に挿入する際に用いられる補助具であって、胃内固定部に設けられた係止穴に先端部を挿入可能な筒状部材と、胃内固定部を変形させた状態が保たれるようにチューブ本体を挟持する挟持溝を備えた柄部を備えた胃瘻カテーテル用挿入補助具が開示されている。
【０００３】
当該特許文献１に開示された胃瘻カテーテル用挿入補助具によれば、胃内固定部を小さく変形させた状態を保ちつつ術者が片手で瘻孔内に挿入することが可能となるので、手技が行いやすく、看者への負担も少ないという利点がある。
【特許文献１】特開２００７−９８１２３号公報
【発明の開示】
【発明が解決しようとする課題】
【０００４】
一方で、留置カテーテルを瘻孔に挿入する際に、瘻孔付近の腹壁と胃壁とが癒着していれば円滑に留置カテーテルを胃内に挿入することができるが、患者によっては腹壁と胃壁とが癒着していない場合もある。このような患者の瘻孔に留置カテーテルを挿入した場合、腹壁を通過した留置カテーテルの先端部が胃壁の瘻孔以外の箇所に当接し、胃壁に設けられた瘻孔内に挿入されにくい場合がある。
【０００５】
この場合、瘻孔内にガイドワイヤ等の案内部材を留置しておき、その案内部材に留置カテーテルを沿わせながら挿入することも考えられる。しかしながら、腹壁と胃壁とが離れている場合には、腹壁には確実に留置カテーテルを挿入することはできるものの、腹壁に挿入されている案内部材は外部からは見えないため、腹壁に留置カテーテルを挿入することが困難な場合も生じうる。
【０００６】
本発明は、体腔内に留置される留置カテーテルを挿入する際に用いる補助具の改良を目的とし、さらに詳しくは前記不都合を解消するために、留置カテーテルを瘻孔を介して確実に体腔内に挿入可能な留置カテーテル用挿入補助具を提供することを目的とする。
【課題を解決するための手段】
【０００７】
前記目的を達成するために、本発明の留置カテーテル用挿入補助具は、瘻孔を介して先端が体腔内に挿入される可撓性を有するチューブ本体と、前記チューブ本体の先端に設けられ体腔内からのチューブ本体の抜出しを規制する可撓性を有する椀状の体腔内固定部とを備え、前記体腔内固定部に筒状部材の先端部が係止される貫通孔が設けられた留置カテーテルを瘻孔を介して体腔内に挿入するための挿入補助具であって、先端に前記貫通孔に係止可能な硬質で中空筒状の筒状部材と、前記筒状部材の後方部分を支持し術者が操作時に把持可能な柄部とを有し、前記筒状部材は、基端部から先端部にかけて可撓性を有する線状又は棒状の案内部材を案内する案内通路を有し、前記柄部は、前記案内通路に連通し、前記案内通路によって案内された前記案内部材を外部に導出する導出通路を備えていることを特徴とする。
【０００８】
本発明の留置カテーテル用挿入補助具では、前記案内通路及び前記導出通路を備えており、前記案内部材を内部に挿通可能である。従って、前記筒状部材の先端部が係止される貫通孔を備えた留置カテーテルを瘻孔に挿入する場合には、前記留置カテーテルを係止した状態で、前記留置カテーテルの貫通孔と前記筒状部材の案内通路と前記柄部の導出通路とを介して前記案内部材を挿通可能となる。このため、瘻孔に前記案内部材が留置されているときは、本発明の留置カテーテル用挿入補助具に前記留置カテーテルを係止した状態で前記案内部材を内部に挿通し、前記留置カテーテルを瘻孔に挿入することができるため、留置カテーテルを瘻孔を介して確実に体腔内に挿入することができる。
【０００９】
また、本発明の留置カテーテル用挿入補助具において、前記筒状部材が金属管により形成され、先端部に前記留置カテーテルの体腔内固定部の貫通孔に挿入される延出部と、前記貫通孔よりも大径で前記貫通孔の周囲で係止される段差部とを有する合成樹脂製の係止部材が装着されていることが好ましい。前記筒状部材を金属管により形成することにより、前記留置カテーテルの体腔内固定部を変形させるために、前記貫通孔に筒状部材の先端部を係止して前記チューブ本体を後方に強く引っ張った場合であっても前記筒状部材の変形を防ぐことができる。また、前記筒状部材を前記貫通孔に係止するために、金属製の筒状部材自身を曲げ加工等することも可能であるが、合成樹脂製の係止部材を別個に形成して前記筒状部材に装着することにより、金属管部分には加工を施す必要がない。このため、前記案内通路を直線状に保つことができるので前記案内部材を挿通しやすく、且つ、前記筒状部材の製造段階での加工が容易となる。
【００１０】
また、本発明の留置カテーテル用挿入補助具において、前記延出部は、前記貫通孔に挿入された際に前記留置カテーテルの体腔内固定部表面から突出するように前記貫通孔の長さよりも長く形成されていることが好ましい。当該構成により、挿入補助具に前記留置カテーテルを係止している状態で前記案内部材を前記案内通路に挿入する際に、前記案内部材の挿入箇所が前記体腔内固定部から突出しており一目でわかるため、前記案内部材を前記案内通路に挿入する作業が容易となる。
【発明を実施するための最良の形態】
【００１１】
次に、本発明の留置カテーテル挿入補助具の実施形態の一例について、図１乃至図５を参照して説明する。図１は本実施形態の胃瘻カテーテル挿入補助具を示す説明図、図２は図１のＩＩ−ＩＩ線断面図、図３は留置カテーテルの主要部を示す説明図、図４（ａ）及び（ｂ）は本実施形態の留置カテーテル挿入補助具に留置カテーテルを装着する状態を示す説明図、図５（ａ）乃至（ｄ）は本実施形態の留置カテーテル挿入補助具を用いて留置カテーテルを瘻孔に挿入する状態を示す説明図である。
【００１２】
まず、本実施形態の胃瘻チューブ挿入補助具（以下単に「挿入補助具」という。）１について図１及び図２を参照して説明する。本実施形態の挿入補助具１は、胃瘻カテーテルの交換を行う際等に用いられる。挿入補助具１は、図１に示すように、ステンレス製の筒状部材２と、筒状部材２の先端部に装着された合成樹脂製の係止部材３と、筒状部材２の後端部に設けられた合成樹脂製の柄部４とを備えている。筒状部材２は内部にガイドワイヤＧ（図５参照）を挿通可能な筒状の部材である。また、係止部材３は筒状部材２の先端部外周面に挿入されて固定され、ガイドワイヤＧが挿通可能な筒状の部材である。また、係止部材３は、筒状部材２から前方に延出された延出部３ａと、延出部３ａよりも大径に形成された段差部３ｂとを備えている。このように、筒状部材２及び係止部材３には、内部にガイドワイヤＧが挿通可能な案内通路５が設けられている。
【００１３】
柄部４は、側面視で角度のついたＬ字状に形成され、筒状部材２の後端部を支持すると共に下方に延設され、術者が把持しやすいように形成されている。また、柄部４の内部は、図２に示すように、案内通路５の基端部から柄部４の下端部まで延びる導出通路６が設けられている。この導出通路６もガイドワイヤＧが内部に挿通可能な径となっている。また、図１（ｂ）に示すように、柄部４の上方部分には、後述する胃瘻カテーテルのチューブ本体の外径よりも狭い挟持溝７が設けられている。
【００１４】
次に、本実施形態の挿入補助具１により胃瘻に挿入される胃瘻カテーテル８について、図３を参照して説明する。胃瘻カテーテル８は、チューブ本体９と、チューブ本体９の先端部に固定される椀状のバンパー（体腔内固定部）１０を備えている。チューブ本体９とバンパー１０は共に可撓性を有する合成樹脂（シリコーン樹脂）によって一体に形成されている。バンパー１０の周壁部の内周面には他の部位よりも肉厚に形成された被係止部１１が設けられており、この被係止部１１にはバンパー１０の表裏を貫通する貫通孔１２が設けられている。また、バンパー１０の周壁部には、被係止部１１の反対側に切欠部１０ａが設けられている。また、チューブ本体９の外周面には、チューブ本体９の先端部からの長さを示す目盛り９ａが表示されている。
【００１５】
次に、上記構成の挿入補助具１を用いて胃瘻カテーテル８を胃内に挿入する際の手順を図４及び図５を参照して説明する。まず、図４（ａ）に示すように、胃瘻カテーテル８のバンパー１０に設けられた貫通孔１２に挿入補助具１の係止部材３の延出部３ａを挿入し、被係止部１１を係止部材３の段差部３ｂで係止し、チューブ本体９を挿入補助具１の後方に引っ張る。そして、図４（ｂ）に示すように、チューブ本体９を挟持溝７に挟持させる。この状態では、係止部材３の延出部３ａがバンパー１０の外周面から外方に突出した形となっている。
【００１６】
図５（ａ）は、患者の腹壁Ｂ及び胃壁Ｃに胃瘻Ａが造設され、胃瘻ＡにガイドワイヤＧが留置されている状態を示している。この状態において、ガイドワイヤＧの後端部を挿入補助具１の延出部３ａ内に挿入し、筒状部材２内の案内通路５及び柄部４内の導出通路６内を通過させて柄部４から外部に導出する。これにより、バンパー１０の貫通孔１２の内部にガイドワイヤＧが挿通される。このとき、係止部材３の延出部３ａがバンパー１０の外周面から外方に突出しているため、術者はガイドワイヤＧの挿入先である延出部３ａを発見しやすい。
【００１７】
次に、図５（ｂ）に示すように、挿入補助具１を用いて胃瘻カテーテル８を胃瘻Ａ内に挿入し、図５（ｃ）のようにバンパー１０が腹壁Ｂ及び胃壁Ｃを通過して胃内に到達するまで挿入補助具１を胃瘻Ａ内に挿入する。このとき、ガイドワイヤＧは、挿入補助具１の案内通路５及び導出通路６内に収納されているので、胃瘻Ａの表面には触れないため、患者への負担が少ない。
【００１８】
その後、図５（ｄ）に示すように、チューブ本体９を挟持溝７から取り外し、ガイドワイヤＧを胃瘻Ａから抜去した後、挿入補助具１を胃瘻Ａから抜去する。以上の手技により、ガイドワイヤＧ及び挿入補助具１を利用して確実に胃内に胃瘻カテーテル８のバンパー１０を挿入することができる。
【００１９】
なお、上記実施形態においては、柄部４は略Ｌ字状に形成されているが、これに限らず、筒状部材２の軸線方向に直線状に延びる形状であってもよい。また、導出通路６は柄部４の下端部に開口しているが、これに限らず、筒状部材２の軸線上に開口するように設けてもよい。また、上記実施形態では、留置カテーテルとしてバンパー１０の周壁部に貫通孔１２が設けられているバンパータイプの胃瘻カテーテルを例にして説明したが、本実施形態の挿入補助具は、これに限らず、例えば本願出願人の出願である特願２００７−１２８６０号に記載されているようないわゆるボタンタイプの胃瘻カテーテルに用いてもよい。また、上記実施形態では、留置カテーテルとして胃瘻カテーテルを例にして説明したが、これに限らず、例えば膀胱や気管等の他の体腔に使用される留置カテーテルにも適用することができる。
【図面の簡単な説明】
【００２０】
【図１】（ａ）及び（ｂ）は本実施形態の胃瘻カテーテル挿入補助具を示す説明図。
【図２】図１のＩＩ−ＩＩ線断面図。
【図３】留置カテーテルの主要部を示す説明図。
【図４】（ａ）及び（ｂ）は本実施形態の留置カテーテル挿入補助具に留置カテーテルを装着する状態を示す説明図。
【図５】（ａ）乃至（ｄ）は本実施形態の留置カテーテル挿入補助具を用いて留置カテーテルを瘻孔に挿入する状態を示す説明図。
【符号の説明】
【００２１】
１…挿入補助具、２…筒状部材、３…係止部材、４…柄部、５…案内通路、６…導出通路、７…挟持溝、８…胃瘻カテーテル、９…チューブ本体、１０…バンパー（体腔内固定部）、１２…貫通孔、Ａ…胃瘻（瘻孔）。
【図１】
2009254579.tif 000003
【図２】
2009254579.tif 000004
【図３】
2009254579.tif 000005
【図４】
2009254579.tif 000006
【図５】
2009254579.tif 000007